(57)【特許請求の範囲】
【請求項１】
走行機体（２）に搭載された第一ブーム部材（５）と、該第一ブーム部材（５）に対して伸縮する第二ブーム部材（６）と、該第二ブーム部材（６）が前記第一ブーム部材（５）に対して退縮状態にある時と伸長状態にある時に前記第二ブーム部材（６）の先端部（６ａ）でそれぞれ点燈する発光態様の異なる二種類の発光部材（９，１０）と、前記第一ブーム部材（５）と前記第二ブーム部材（６）のいずれか一方側に設けられて前記二種類の発光部材（９，１０）の点燈を切換制御する切換スイッチ（１４）と、前記第一ブーム部材（５）と前記第二ブーム部材（６）のいずれか他方側に設けられて前記第二ブーム部材（６）の伸縮動作によって前記切換スイッチ（１４）を切換操作するカム（１６）と、前記走行機体（２）の運転席（１１）に設けられて前記二種類の発光部材（９，１０）を含む電気回路を開閉するメインスイッチ（１２）と、を備えてなるブームスプレーヤ。
【請求項２】
前記発光部材（９）が注意燈であり、前記発光部材（１０）が照明燈である請求項１に記載のブームスプレーヤ。
【発明の詳細な説明】
【０００１】
【発明の属する技術分野】
本発明は、ブームスプレーヤに関し、特に、第一ブーム部材に対して変位する第二ブーム部材の相対的な位置に応じて制御されるべき二種類の発光部材を有するブームスプレーヤに関するものである。
【０００２】
【従来の技術】
例えば、畑等の防除作業に用いられるブームスプレーヤにおいて、移動時の便宜や散布幅調整のために、複数のブーム部材を相対伸縮自在に結合せしめた、スライドブームと呼ばれるブーム装置を有するものがある。該ブーム装置は、非散布移動時には縮められて、走行機体に沿うようにしてコンパクトに収納されるが、その状態でもなお前記走行機体の輪郭からの張り出し量が大きいので、公道等を走行する場合には、その先端部に設けた、例えばパトライト（登録商標）等の注意燈を点燈させて、周囲へ注意を促すようになっている。
【０００３】
一方、前記ブーム装置は、散布作業時には、一度に広幅の散布を行うために、前記走行機体の左右外方へと伸長されて、前記各ブーム部材に沿って取着された多数の噴霧ノズルから、薬液等の噴霧液が噴霧される。ここで、噴霧作業が夕方以降へとずれ込んであたりが暗くなると、前記走行機体の運転者の視認性が低下し、伸長された前記ブーム装置の先端部付近が見えにくくなる。そこで、前記ブーム装置の前記先端部に設けた照明燈を点燈させて見やすくし、前記運転者が、作物や障害物に接触することを避けるための、前記ブーム装置の上下遠隔位置制御を円滑に行えるようにしている。
【０００４】
そして、従来、前記注意燈と前記照明燈の点燈および消燈は、前記走行機体の運転席に設けられたスイッチを前記運転者が手動操作することによって行われていた。
【０００５】
【発明が解決しようとする課題】
しかし、特に前記注意燈は点け忘れ易いほか、制御対象である前記注意燈と前記照明燈の制御をその都度手動で行うのは煩雑である。
【０００６】
本発明は、こうした事情に鑑みてなされたもので、第一ブーム部材に対する第二ブーム部材の位置に応じて制御されるべき二種類の発光部材の制御を自動的に行うことができるブーム装置を備えたブームスプレーヤを提供しようとするものである。
【００１６】
【課題を解決するための手段】
前記課題を解決するため、本発明の係るブームスプレーヤは、走行機体に搭載された第一ブーム部材と、該第一ブーム部材に対して伸縮する第二ブーム部材と、該第二ブーム部材が前記第一ブーム部材に対して退縮状態にある時と伸長状態にある時に前記第二部材の先端部でそれぞれ点燈する発光態様の異なる二種類の発光部材と、前記第一ブーム部材と前記第二ブーム部材のいずれか一方側に設けられて前記二種類の発光部材の点燈を切換制御する切換スイッチと、前記第一ブーム部材と前記第二ブーム部材のいずれか他方側に設けられて前記第二ブーム部材の伸縮動作によって前記切換スイッチを切換操作するカムと、前記走行機体の運転席に設けられて前記二種類の発光部材を含む電気回路を開閉するメインスイッチと、を備えたものであり、好ましくは、前記二種類の発光部材が注意燈と照明燈であるブームスプレーヤである。
【００１７】
【発明の実施の形態】
以下、添付図面を参照して、本発明の好適な一実施の形態について説明する。
【００１８】
図１は、本発明の一実施の形態に係るブームスプレーヤを右斜め後方から見た斜視図、図２は、図１のブーム装置の電気回路図、図３は、図１のブーム装置の伸長時の作動の説明図、図４は、図１のブーム装置の退縮時の作動の説明図である。
【００１９】
図１に示すブームスプレーや１は、走行機体としての乗用式トラクタ２の後部に、ブーム装置３を備えている。該ブーム装置３のブーム４は、一例として二分割式のものであり、第一ブーム部材としての元側ブーム部材５と、該元側ブーム部材に対して変位する第二ブーム部材としての先側ブーム部材６と、を備えている。これら各ブーム部材５，６の下面には、その長さ方向に沿って多数の噴霧ノズル７が等間隔で取着されている。
【００２０】
前記元側ブーム部材５は、前記トラクタ２に直装された薬液タンク２１等を載荷したマウントフレーム２０に適当な形式の折り畳み機構８を介して搭載され、前記トラクタ２の左右方向の外方へ延びた散布時位置と、前記トラクタ２の左右いずれか一側に沿うように折り畳んで収納された収納時位置（図１に示す位置）と、の間を揺動自在とされている。一方、前記先側ブーム部材６は、いわゆるスライドブームとして前記元側ブーム部材５の長さ方向に沿って移動自在であり、これにより、前記ブーム４は、全体として伸縮自在となっている。
【００２１】
また、前記ブーム装置３は、前記元側ブーム部材５に対する前記先側ブーム部材６の位置に応じて制御されるべき二種類の発光部材として、前記先側ブーム部材６の先端部６ａにそれぞれ配設された、発光部材としての注意燈９と照明燈１０とを備えている。これらの燈火９，１０は、限定されないが、本実施の形態では、前記注意燈９を上にして上下に重ねて一体化されて、前記先側ブーム６の前記先端部６ａの上部に取り付けられている。
【００２２】
前記注意燈９は、前記元側ブーム部材５に対して前記先側ブーム部材６を退縮せしめて、前記ブーム４を前記収納時位置へと折り畳んだ状態（図１の状態）で公道を走行する場合に、前記トラクタ２から前方へ突き出した前記ブーム４に対して、周囲への注意を促す目的で使用される。前記注意燈９としては、例えば、パトライト（登録商標）等が用いられる。
【００２３】
一方、前記照明燈１０は、前記元側ブーム部材５を前記トラクタ２の左右方向外方へ開いて、前記元側ブーム部材５に対して前記先側ブーム部材６を伸長せしめた状態で散布作業を行う場合であって、周囲が暗くなって前記先側ブーム部材６の前記先端部６ａ付近が見えにくくなったときに、前記先側ブーム部材６の前記先端部６ａ付近を照らして、前記トラクタ２の運転席１１にいる運転者から作業現場を見やすくするために使用される。
【００２４】
本実施の形態では、前記注意燈９と前記照明燈１０の制御、すなわち、それらの点燈および消燈は、図２の電気回路図に示すように、前記運転席１１に設けられたメインスイッチ１２と、該メインスイッチ１２と前記トラクタ２に搭載されたバッテリー等の電源１３とを含む電気回路上に配設された制御部材としての切換スイッチ１４と、によって行われる。前記メインスイッチ１２を入れた状態で前記切換スイッチ１４を切り換えると、回路上互いに並列に配設された前記注意燈９への通電と前記照明燈１０への通電とが切り換わる。前記メインスイッチ１２を切ると、前記電気回路が断たれ、前記注意燈９と前記照明燈１０のいずれもが消燈状態となる。
【００２５】
本実施の形態では、前記切換スイッチ１４の制御を、前記元側ブーム部材５に対する前記先側ブーム部材６の変位動作を利用して行うようにせしめている。すなわち、図３および図４に示すように、前記元側ブーム部材５の先端部５ａに前記切換スイッチ１４を配設し、前記元側ブーム部材５に対する前記先側ブーム部材６の伸縮動作に応じて前記切換スイッチ１４の操作レバー１５を操作するためのカム１６を、前記先側ブーム部材６側に取り付けている。切換スイッチ操作部材としての前記カム１６には、例えば、スプリングロッド等のばねやゴム等の弾性要素を含ませておけば、前記操作レバー１５の操作後に該操作レバー１５を円滑に通過することができ、前記切換スイッチ１４の破損が防止できて、好適である。
【００２６】
なお、前記とは逆に、前記切換スイッチ１４を前記先側ブーム部材６側に設け、前記カム１６を前記元側ブーム部材５側に設けてもよい。
【００２７】
次に、前記ブームスプレーヤの使用方法を説明する。
【００２８】
まず、前記メインスイッチ１２を入れた状態で前記先側ブーム部材６を伸ばすと、図３に示すように、該先側ブーム部材６の伸長動作に起因して、前記カム１６が前記操作レバー１５に当接して、該操作レバー１５を前記先側ブーム部材６の延び方向へと切換操作せしめる。すると、前記切換スイッチ１４が入って前記照明燈１０が点燈する。そこで、前記運転者は、前記トラクタ２を走行させ、前記照明燈１０で前記先側ブーム部材６の前記先端部６ａ付近を照らしながら、広幅で噴霧作業を行うことができる。よって、辺りが暗くなっても視認性が良く、散布作業時の前記ブーム４の上下位置制御を確実に行うことができるので、前記ブーム４が杭等の障害物に衝突して破損したりする等の問題がない。
【００２９】
散布作業が終わって前記先側ブーム部材６を縮めると、図４に示すように、前記先側ブーム部材６の退縮動作に起因して、前記カム１６が前記操作レバー１５に当接し、該操作レバー１５を前記先側ブーム部材６の退縮方向へと揺動操作せしめる。すると、前記切換スイッチ１４が切り換わって前記注意燈９が点燈する。そこで、前記運転者は、前記ブーム４を前記トラクタ２の左右一側に沿うように折り畳み、前記注意燈９で周囲に注意を促しながら、公道で前記トラクタ２を走行させることができる。
【００３０】
前記注意燈９も前記照明燈１０も点燈不要の場合には、前記運転者が手動で前記メインスイッチ１２を切っておけば良い。
【００３１】
本実施の形態では、特に、夕暮れ時に前記照明燈１０を点燈せしめて散布作業を行い、該散布作業の終了後に、前記トラクタ２を公道で走行せしめて帰る場合に、前記注意燈９の点燈のし忘れが防止されて、好適である。
【００３２】
なお、本実施の形態では、二分割式のブームを例にとって説明したが、三分割式のブームの場合には、第一ブーム部材としての中間ブーム部材と第二ブーム部材としての先端ブーム部材との間に、前記切換スイッチ１４と前記カム１６とを配設すればよい。
【図面の簡単な説明】
【図１】本発明の一実施の形態に係るブーム装置を備えたブームスプレーヤを右斜め後方から見た斜視図である。
【図２】図１のブーム装置の電気回路図である。
【図３】図１のブーム装置の伸長時の作動の説明図である。
【図４】図１のブーム装置の退縮時の作動の説明図である。
【符号の説明】
２    走行機体
５    第一ブーム部材（元側ブーム部材）
６    第二ブーム部材（先側ブーム部材）
９，１０  制御対象（発光部材、注意燈、照明燈）
１１  運転席
１２  メインスイッチ
１４  スイッチ（切換スイッチ）
１５  操作レバー
１６  操作部材（カム）
【図１】
0003957120.tif 000002
【図２】
0003957120.tif 000003
【図３】
0003957120.tif 000004
【図４】
0003957120.tif 000005